(57)【要約】【課題】  施工品質を高め、かつ設計データと施工データの合致を示すデータを、改変不可の状態で施工業者外に保存して、施工業者側に残さないので、データの社会的な信頼性を高める。【解決手段】杭穴を掘削して、既製杭を埋設して基礎杭を構築する基礎杭構築現場を対象に、施工業者外に施工結果管理サーバ１０を備える。現場担当者端末４０と、杭打ち機に備える施工実施端末３０では、施工品質管理サーバ２０から設計データ（現場データ、杭穴仕様データ、既製杭仕様データ）、点検情報データを取得しながら、実際の各施工データが各設計データと合致していることを確認して確認データを作成する。施工実施端末３０と現場担当者端末４０では、各確認データを、施工結果管理サーバ１０に確認結果データ１６ｂとして転送する。転送すると同時に各確認データを削除し、確認結果データ１６ｂは改変不可能の状態で保存される。【選択図】図２
2018053468.tif 000002
【特許請求の範囲】
【請求項１】
先端に掘削ヘッドを取り付けた掘削ロッドで、杭穴を掘削して、杭穴底にコンクリートやセメントミルク類を注入して、杭穴内に既製杭または鉄筋かごを埋設して、基礎杭を構築する方法を、「施工結果管理サーバ」と現場に配置した「施工実施端末」とを接続して、以下のように管理することを特徴とした基礎杭構築管理方法。
(1) 一つの杭穴の掘削中に、以下の確認データを「施工実施端末」に保存する。
掘削した杭穴の口径および深さを計測して、予め設計した深度まで掘削したことを確認し、「杭穴深さ確認データ」とする。
掘削ヘッドの掘削抵抗値を測定して、杭穴の底部が予め設定した支持地盤に到達したことを確認し、「支持地盤確認データ」とする。
杭穴に注入したコンクリートやセメントミルク類の注入深度毎の注入量とを測定して、予め設定した総注入量を満たしていることを確認し、「セメントミルク類確認データ」とする。
(2) 前記一つの杭穴を構築する際に、前記「杭穴深さ確認データ」「支持地盤確認データ」「セメントミルク類確認データ」を「施工実施端末」に保存する。
(3) 前記各保存データを、データ作成後順次に、
あるいは、前記総ての保存データを一つの杭穴で基礎杭を構築した後直ちに、
「施工実施端末」から「施工結果管理サーバ」に転送して、転送すると同時に、転送した保存データを「施工実施端末」から削除する。
【請求項２】
先端に掘削ヘッドを取り付けた掘削ロッドで、杭穴を掘削して、杭穴底にセメントミルク類を注入して根固め部を形成して、杭穴内に既製杭を埋設して、前記根固め部に既製杭の下端部を定着させて基礎杭を構築する方法を、「施工結果管理サーバ」と現場に配置した「施工実施端末」とを接続して、以下のように管理することを特徴とした基礎杭構築管理方法。
(1) 一つの杭穴の掘削中に、以下の確認データを「施工実施端末」に保存する。
掘削した杭穴の深さを計測して、予め設計した深度まで掘削したことを確認し、「杭穴深さ確認データ」とする。
掘削ヘッドの掘削抵抗値を測定して、杭穴の底部が予め設定した支持地盤に到達したことを確認し、「支持地盤確認データ」とする。
杭穴の底部に注入したセメントミルク類の注入深度毎の注入量とを測定して、予め設定した総注入量を満たしていることを確認し、「セメントミルク類確認データ」とする。
(2) 前記一つの杭穴内に、既製杭を埋設する際に、以下の確認データを「施工実施端末」に保存する。
予め決められた仕様の既製杭を、必要本数連結して、連結した既製杭の埋設深度を計測して、前記既製杭の埋設深度が予め設定した位置と一致していることを確認して、「既製杭確認データ」とする。
(3) 前記各保存データを、データ作成後順次に、
あるいは、前記総ての保存データを一つの杭穴で基礎杭を構築した後直ちに、
「施工実施端末」から「施工結果管理サーバ」に転送して、転送すると同時に、転送した保存データを「施工実施端末」から削除する。
【請求項３】
先端に掘削ヘッドを取り付けた掘削ロッドで、根固め部を有する杭穴を掘削して、支持地盤に対応した前記杭穴の底部にセメントミルク類を注入して根固め部を形成して、杭穴内に既製杭を埋設して、既製杭の下端部を前記根固め部に定着させて基礎杭を構築する方法を、「施工品質管理サーバ」「施工結果管理サーバ」と現場に配置した「施工実施端末」とを接続して、以下のように管理することを特徴とした基礎杭構築管理方法。
(1) 一つの杭穴掘削中に、「施工品質管理サーバ」から設計データを「施工実施端末」に表示して、以下の確認データを「施工実施端末」に保存する。
時刻毎に掘削ヘッドの深さ位置を計測して、予め設計した深度まで掘削したことを確認し、前記掘削ヘッドの深さデータ、設計した深度データおよび両データが一致していることを確認したデータとを含む「杭穴深さ確認データ」とする。
掘削した杭穴の少なくとも底部の外径を計測して、予め設計した杭穴の同深度の外径と一致していることを確認し、前記掘削した杭穴の外径データ、設計した杭穴の外径データおよび両データが一致していることを確認したデータとを含む「杭穴外径確認データ」とする。
杭穴の深さ毎に掘削ヘッドの積算電流値を測定し、予め調査したその位置での深さ毎のＮ値データと比較することにより杭穴の底部が支持地盤に到達したことを確認し、杭穴の深さ毎の積算電流値データ、その位置での深さ毎のＮ値データおよび両データが一致していることを確認したデータとを含む「支持地盤確認データ」とする。
杭穴の前記根固め部に注入したセメントミルク類の注入深度毎の注入量を測定して、予め設定した注入深さ毎の注入量および総注入量を満たしていることを確認し、根固め部の深さ毎のセメントミルク類を注入した分量データ、予め設定した根固め部の深さ毎のセメントミルク類の注入量データおよび両データが一致していることを確認したデータとを含む「根固め部セメントミルク類確認データ」とする。
杭穴の軸部に注入したセメントミルク類の注入深度毎の注入量を測定して、予め設定した注入深さ毎の注入量および総注入量を満たしていることを確認し、軸部の深さ毎のセメントミルク類を注入した分量データ、予め設定した根固め部の深さ毎のセメントミルク類の注入量データおよび両データが一致していることを確認したデータとを含む「軸部セメントミルク類確認データ」とする。
(2) 前記一つの杭穴内に、既製杭を埋設する際に、以下の確認データを「施工実施端末」に保存する。
予め決められた仕様の既製杭を、必要本数連結して、連結した既製杭の埋設深度を計測して、前記既製杭の埋設深度が予め設定した前記根固め部内の設定位置と一致していることを確認して、
測定した既製杭の埋設深度データ、予め設定した杭穴の埋設深度データおよび両データが一致していることを確認したデータを含む「既製杭確認データ」とする。
(3) 前記各保存データを、データ作成後順次に、
あるいは、前記総ての保存データを一つの杭穴で基礎杭を構築した後直ちに、
「施工実施端末」から「施工結果管理サーバ」に転送して、転送すると同時に、転送した保存データを「施工実施端末」から削除する。
【請求項４】
先端に掘削ヘッドを取り付けた掘削ロッドで、杭穴を掘削して、杭穴底にセメントミルク類を注入して根固め部を形成して、杭穴内に既製杭を埋設して、杭穴底部に既製杭の下端部を定着させて基礎杭を構築する方法を、「施工結果管理サーバ」と現場に配置した「施工実施端末」とを接続して、以下のように管理することを特徴とした基礎杭構築管理システム。
(1) 「施工実施端末」では、一つの杭穴掘削中に、以下の「確認データ」を保存する。
掘削した杭穴の深さを計測して、予め設計した深度まで掘削したことを確認し、「杭穴深さ確認データ」とする。
掘削ヘッドの掘削抵抗値を測定して、杭穴の底部が予め設定した支持地盤に到達したことを確認し、「支持地盤確認データ」とする。
杭穴の底部に注入したセメントミルク類の注入深度毎の注入量とを測定して、予め設定した総注入量を満たしていることを確認し、「セメントミルク類確認データ」とする。
予め決められた仕様の既製杭を、必要本数連結して、連結した既製杭の埋設深度を計測して、前記既製杭の埋設深度が予め設定した位置と一致していることを確認して、「既製杭確認データ」とする。
(2) 「施工実施端末」は、前記各「確認データ」を、データ作成後順次に、あるいは、前記総ての「確認データ」を一つの杭穴で基礎杭を構築した後直ちに、あるいは、一つの施工現場で総ての基礎杭を構築した後直ちに、
前記「施工実施端末」から「施工結果管理サーバ」に転送する。
(3) 「施工実施端末」は、前記各「確認データ」を前記「施工結果管理サーバ」転送すると同時に、転送した「確認データ」を前記「施工実施端末」から削除する。
(4) 前記「施工結果管理サーバ」は、「施工実施端末」から転送された各「確認データ」は、書き換え不可能な状態にして、許可した現場関係人端末から閲覧のみ可能とする。
(5) 前記「施工結果管理サーバ」は、前記「確認データ」を、各許可接続端末あるいは不法接続端末から改変されていないことを「サーバ監視システム」により監視させる。
【請求項５】
基礎杭構築現場毎に「施工結果管理サーバ」を構築して、共通する「サーバ監視システム」により、各「施工結果管理サーバ」に各許可接続端末あるいは不法接続端末から改変されていないことを監視する請求項４記載の基礎杭構築管理システム。
【発明の詳細な説明】
【技術分野】
【０００１】
本発明は、掘削した杭穴内にセメントミルク類を注入して、既製杭を埋設して基礎杭を構築する施工を管理する基礎杭の施工管理方法、およびこの施工管理方法に使用する施工管理システムに関する。
【背景技術】
【０００２】
杭穴を掘削し既製杭を埋設して基礎杭を構築する施工は、地下で行われ、地上から目視できなかった。この施工を管理するためには、杭打ち機（杭穴掘削作業する機械）のオペレータ室にパソコンを設置して、掘削ヘッドから様々なデータをパソコンに表示して、オペレータが目視できるような管理システムが実行されている（特許文献１〜３）。また、この際、杭穴内に注入するセメントミルクの流量データもオペレータ室のパソコンに入力され、表示されていた（特許文献１）。また、根固め部の品質を向上させるために、杭穴の根固め部内で、掘削ヘッドを上下させ、根固め部の深さ毎にセメントミルクの注入量を管理する方法も実施されていた（特許文献２）。  
また、オペレータ室のパソコン以外に、現場担当者（地上に居る）がスマートフォン（パソコン）により一つの杭穴毎に、使用する既製杭の仕様（杭種、杭径、杭長、品質など）を設計データと実際に使用する既製杭が一致しているかどうかを確認して、使用した既製杭の画像データとともに、施工管理用のサーバに送信して保存されていた（特許文献３）。また、オペレータ室のパソコンのデータも同様に施工管理用のサーバに送信して保存され、施工終了後には、これらサーバに保存されたデータから施工完了報告書を作成する提案もなされていた（特許文献３）。  
このようなシステムにより、現場作業者の負担を軽減して、設計仕様に合わせた正確な施工を実現させていた。
【先行技術文献】
【特許文献】
【０００３】
【特許文献１】特開２０１０−２８５７６５号公報
【特許文献２】特開２０１２−１３６８７５号公報
【特許文献３】特開２０１５−１１８４３５号公報
【発明の概要】
【発明が解決しようとする課題】
【０００４】
昨今、建築の施工現場での記録と施工完了報告書との不一致が生じ、実際の施工実態が把握できない問題が発覚されていた。上記システムでは、このような施工現場での記録を書き換えて、施工完了報告書を作成する余地は極めて少なく、施工実態の把握が容易であった。この発明では、設計情報と施工情報の把握をよりわかりやすくし、かつ現場データを修正する余地を皆無とすることを目指した。
【課題を解決するための手段】
【０００５】
本発明は、設計データと実際の施工データとをリアルタイムで照合しつつ、施工内容が設計内容と合っていることを確認して、施工実施端末や現場担当者端末からデータを残さずに、施工結果管理サーバに直ぐにデータを送るので、前記問題点を解決した。
【０００６】
即ちこの発明で、第１の方法発明は、先端に掘削ヘッドを取り付けた掘削ロッドで、杭穴を掘削して、杭穴底にコンクリートやセメントミルク類を注入して、杭穴内に既製杭または鉄筋かごを埋設して、基礎杭を構築する方法を、「施工結果管理サーバ」と現場に配置した「施工実施端末」とを接続して、以下のように管理することを特徴とした基礎杭構築管理方法である。  
(1) 一つの杭穴の掘削中に、以下の確認データを「施工実施端末」に保存する。  
掘削した杭穴の口径および深さを計測して、予め設計した深度まで掘削したことを確認し、「杭穴深さ確認データ」とする。  
掘削ヘッドの掘削抵抗値を測定して、杭穴の底部が予め設定した支持地盤に到達したことを確認し、「支持地盤確認データ」とする。  
杭穴に注入したコンクリートやセメントミルク類の注入深度毎の注入量とを測定して、予め設定した総注入量を満たしていることを確認し、「セメントミルク類確認データ」とする。  
(2) 前記一つの杭穴を構築する際に、前記「杭穴深さ確認データ」「支持地盤確認データ」「セメントミルク類確認データ」を「施工実施端末」に保存する。  
(3) 前記各保存データを、データ作成後順次に、
あるいは、前記総ての保存データを一つの杭穴で基礎杭を構築した後直ちに、
「施工実施端末」から「施工結果管理サーバ」に転送して、転送すると同時に、転送した保存データを「施工実施端末」から削除する。
【０００７】
また、方法の第２の発明は、先端に掘削ヘッドを取り付けた掘削ロッドで、杭穴を掘削して、杭穴底にセメントミルク類を注入して根固め部を形成して、杭穴内に既製杭を埋設して、前記根固め部に既製杭の下端部を定着させて基礎杭を構築する方法を、「施工結果管理サーバ」と現場に配置した「施工実施端末」とを接続して、以下のように管理することを特徴とした基礎杭構築管理方法である。  
(1) 一つの杭穴の掘削中に、以下の確認データを「施工実施端末」に保存する。  
掘削した杭穴の深さを計測して、予め設計した深度まで掘削したことを確認し、「杭穴深さ確認データ」とする。  
掘削ヘッドの掘削抵抗値を測定して、杭穴の底部が予め設定した支持地盤に到達したことを確認し、「支持地盤確認データ」とする。  
杭穴の底部に注入したセメントミルク類の注入深度毎の注入量とを測定して、予め設定した総注入量を満たしていることを確認し、「セメントミルク類確認データ」とする。  
(2) 前記一つの杭穴内に、既製杭を埋設する際に、以下の確認データを「施工実施端末」に保存する。  
予め決められた仕様の既製杭を、必要本数連結して、連結した既製杭の埋設深度を計測して、前記既製杭の埋設深度が予め設定した位置と一致していることを確認して、「既製杭確認データ」とする。  
(3) 前記各保存データを、データ作成後順次に、
あるいは、前記総ての保存データを一つの杭穴で基礎杭を構築した後直ちに、
「施工実施端末」から「施工結果管理サーバ」に転送して、転送すると同時に、転送した保存データを「施工実施端末」から削除する。
【０００８】
また、第３の方法の発明は、先端に掘削ヘッドを取り付けた掘削ロッドで、根固め部を有する杭穴を掘削して、支持地盤に対応した前記杭穴の底部にセメントミルク類を注入して根固め部を形成して、杭穴内に既製杭を埋設して、既製杭の下端部を前記根固め部に定着させて基礎杭を構築する方法を、「施工品質管理サーバ」「施工結果管理サーバ」と現場に配置した「施工実施端末」とを接続して、以下のように管理することを特徴とした基礎杭構築管理方法である。  
(1) 一つの杭穴掘削中に、「施工品質管理サーバ」から設計データを「施工実施端末」に表示して、以下の確認データを「施工実施端末」に保存する。  
時刻毎に掘削ヘッドの深さ位置を計測して、予め設計した深度まで掘削したことを確認し、前記掘削ヘッドの深さデータ、設計した深度データおよび両データが一致していることを確認したデータとを含む「杭穴深さ確認データ」とする。  
掘削した杭穴の少なくとも底部の外径を計測して、予め設計した杭穴の同深度の外径と一致していることを確認し、前記掘削した杭穴の外径データ、設計した杭穴の外径データおよび両データが一致していることを確認したデータとを含む「杭穴外径確認データ」とする。  
杭穴の深さ毎に掘削ヘッドの積算電流値を測定し、予め調査したその位置での深さ毎のＮ値データと比較することにより杭穴の底部が支持地盤に到達したことを確認し、杭穴の深さ毎の積算電流値データ、その位置での深さ毎のＮ値データおよび両データが一致していることを確認したデータとを含む「支持地盤確認データ」とする。  
杭穴の前記根固め部に注入したセメントミルク類の注入深度毎の注入量を測定して、予め設定した注入深さ毎の注入量および総注入量を満たしていることを確認し、根固め部の深さ毎のセメントミルク類を注入した分量データ、予め設定した根固め部の深さ毎のセメントミルク類の注入量データおよび両データが一致していることを確認したデータとを含む「根固め部セメントミルク類確認データ」とする。  
杭穴の軸部に注入したセメントミルク類の注入深度毎の注入量を測定して、予め設定した注入深さ毎の注入量および総注入量を満たしていることを確認し、軸部の深さ毎のセメントミルク類を注入した分量データ、予め設定した根固め部の深さ毎のセメントミルク類の注入量データおよび両データが一致していることを確認したデータとを含む「軸部セメントミルク類確認データ」とする。  
(2) 前記一つの杭穴内に、既製杭を埋設する際に、以下の確認データを「施工実施端末」に保存する。  
予め決められた仕様の既製杭を、必要本数連結して、連結した既製杭の埋設深度を計測して、前記既製杭の埋設深度が予め設定した前記根固め部内の設定位置と一致していることを確認して、
測定した既製杭の埋設深度データ、予め設定した杭穴の埋設深度データおよび両データが一致していることを確認したデータを含む「既製杭確認データ」とする。  
(3) 前記各保存データを、データ作成後順次に、
あるいは、前記総ての保存データを一つの杭穴で基礎杭を構築した後直ちに、
「施工実施端末」から「施工結果管理サーバ」に転送して、転送すると同時に、転送した保存データを「施工実施端末」から削除する。
【０００９】
また、この発明のシステムの発明は、先端に掘削ヘッドを取り付けた掘削ロッドで、杭穴を掘削して、杭穴底にセメントミルク類を注入して根固め部を形成して、杭穴内に既製杭を埋設して、杭穴底部に既製杭の下端部を定着させて基礎杭を構築する方法を、「施工結果管理サーバ」と現場に配置した「施工実施端末」とを接続して、以下のように管理することを特徴とした基礎杭構築管理システムである。  
(1) 「施工実施端末」では、一つの杭穴掘削中に、以下の「確認データ」を保存する。  
掘削した杭穴の深さを計測して、予め設計した深度まで掘削したことを確認し、「杭穴深さ確認データ」とする。  
掘削ヘッドの掘削抵抗値を測定して、杭穴の底部が予め設定した支持地盤に到達したことを確認し、「支持地盤確認データ」とする。  
杭穴の底部に注入したセメントミルク類の注入深度毎の注入量とを測定して、予め設定した総注入量を満たしていることを確認し、「セメントミルク類確認データ」とする。  
予め決められた仕様の既製杭を、必要本数連結して、連結した既製杭の埋設深度を計測して、前記既製杭の埋設深度が予め設定した位置と一致していることを確認して、「既製杭確認データ」とする。  
(2) 「施工実施端末」は、前記各「確認データ」を、データ作成後順次に、あるいは、前記総ての「確認データ」を一つの杭穴で基礎杭を構築した後直ちに、あるいは、一つの施工現場で総ての基礎杭を構築した後直ちに、
前記「施工実施端末」から「施工結果管理サーバ」に転送する。  
(3) 「施工実施端末」は、前記各「確認データ」を前記「施工結果管理サーバ」転送すると同時に、転送した「確認データ」を前記「施工実施端末」から削除する。  
(4) 前記「施工結果管理サーバ」は、「施工実施端末」から転送された各「確認データ」は、書き換え不可能な状態にして、許可した現場関係人端末から閲覧のみ可能とする。  
(5) 前記「施工結果管理サーバ」は、前記「確認データ」を、各許可接続端末あるいは不法接続端末から改変されていないことを「サーバ監視システム」により監視させる。
【００１０】
さらに、前記システムの発明において、基礎杭構築現場毎に「施工結果管理サーバ」を構築して、共通する「サーバ監視システム」により、各「施工結果管理サーバ」に各許可接続端末あるいは不法接続端末から改変されていないことを監視する基礎杭構築管理システムである。
【発明の効果】
【００１１】
この発明は、基礎杭を構築する施工業者から、設計データと施工データとが一致していることを、施工実施端末上で、各ポイントで確認情報データと確認することにより、設計データと施工データとの一致が容易に確認でき、かつ不一致の場合に速やかに施工の修正が可能である。  
また、施工実施端末から設計データと施工データとを示す施工確認データを、施工結果管理サーバに転送して、施工結果管理サーバで改変不可能なデータとして管理するので、事後でのデータ改変を防止できる。さらに、転送と同時に施工実施端末の施工確認データは削除されるので、施工業者側での事後でのデータ改変を確実に防止できる。
【図面の簡単な説明】
【００１２】
【図１】この発明の施工管理システムの全体の概念図である。
【図２】この発明の施工管理システムの主に施工業者側のシステムの概念図である。
【図３】この発明の施工品質管理サーバの格納したデータの実施態様である。
【図４】（ａ）〜（ｇ）はこの発明の施工管理方法で管理する施工例（前半）の概念図である。
【図５】（ａ）〜（ｄ）はこの発明の施工管理方法で管理する施工例（後半）の概念図である。
【図６】施工現場の杭穴の配置を表す概念図である。
【図７】施工実施端末の初期画面の概念図である。
【図８】施工実施端末の施工途中１の概念図である。
【図９】施工実施端末の施工途中２の概念図である。
【図１０】施工実施端末の施工途中３の概念図である。
【図１１】施工結果管理サーバに送付した杭穴施工確認データを印刷した確認書である。
【発明を実施するための形態】
【００１３】
図面に基づきこの発明の施工管理システムを説明する。
【００１４】
１．システムの全体構成
【００１５】
（１）  ある基礎杭構築現場を対象に、「施工結果管理サーバＡ」１０Ａに、基礎杭施工業者側の「施工業者端末」が接続される（図１）。  
「施工業者端末」は、構築現場で施工管理者が操作する「現場担当者端末４０」、杭打ち機のオペレータが操作する「施工実施端末３０」からなる。「現場担当者端末４０」および「施工実施端末３０」は、各種設計データを取り扱う「施工品質管理サーバ２０」（主に施工業者の本部に設置される）に接続される。
【００１６】
（２）  「施工結果管理サーバＡ」１０Ａには閲覧のみを許可される関係者端末４８が接続され、関係者端末４８には、「施主閲覧端末４８ａ」「設計監理者閲覧端末４８ｂ」「ゼネコン閲覧端末４８ｃ」「公的機関端末４８ｄ」があり、「公的機関端末４８ｄ」には、その工事を認可した自治体や公的認証機関などが含まれる。  
また、基礎杭施工業者側でも閲覧のみを許可される施工業者閲覧端末４８ｅが接続される（ず１）。
【００１７】
（３）  また、他の基礎杭構築現場を対象に、同様に「施工結果管理サーバＢ」１０Ｂ、「施工結果管理サーバＣ」１０Ｃなどが設定され、「施工結果管理サーバＢ」１０Ｂ、「施工結果管理サーバＣ」１０Ｃには、「施工結果管理サーバＡ」１０Ａと同様に、施工業者閲覧端末、関係者端末などが接続される。  
各「施工結果管理サーバＡ、Ｂ、Ｃ」１０Ａ、１０Ｂ、１０Ｃは、物理的に異なるコンピュータで構成する場合と、１つのコンピュータ上でソフトウエアにより区画された構成とする場合、いずれでも可能である。
【００１８】
（４）  また、各「施工結果管理サーバＡ、Ｂ、Ｃ」１０Ａ、１０Ｂ、１０Ｃは、共通の「サーバ管理システム５０」により、記憶手段１６内の各データが、各許可接続端末あるいは不法接続端末からの接続により改変されていないことを監視し、改変が生じた場合には、関係人閲覧端末４８、４８、施工業者閲覧端末４８ｅなどに警告を発生させることができる（図１）。
【００１９】
（５）  前記各サーバ１０、２０、端末３０、４０、４８などの接続は、インターネット回線を通じて接続（クラウド接続）される。
【００２０】
２．各サーバ１０、２０、端末３０、４０の構成
【００２１】
（１）施工実施端末３０の構成
施工実施端末３０は、基礎杭７５の構築工事を請け負う施工業者が使用するパーソナルコンピュータなどの端末であり、通常は、いわゆるノートパソコン形式で、杭打ち機６４のオペレータ室６５に配置される。  
施工実施端末３０は、通信ネットワーク５０を介して施工品質管理サーバ２０及び現場担当者端末４０との間で情報の送受信を行う情報送受信手段３２を備えている。  
また、施工実施端末３０は、液晶ディスプレイ等、情報の表示装置である表示手段３３と、キーボードやマウス、タッチパネル等、情報の入力装置である入力手段３４、情報送受信手段３２でサーバ２０から取得した各種情報をハードコピー等で出力する出力手段３５とを備えている。  
これらの各手段によって行われる情報通信が、内蔵メモリ等の記憶手段３６、ＣＰＵを含む制御手段３１によって制御される。
【００２２】
（２）現場担当者端末４０の構成
現場担当者端末４０は、通信ネットワーク５０を介してサーバ２０、施工実施端末３０との間で情報の送受信を行う情報送受信手段４２を備えている。  
また、現場担当者端末４０は、液晶ディスプレイ等、情報の表示装置である表示手段４３と、タッチパネル等、情報の入力装置である入力手段４４、建築物の品質管理の対象となる杭穴７０や既製杭７４などを撮像する内蔵カメラなどの撮像手段４５とを備えている。  
これらの各手段によって行われる情報通信が、内蔵メモリ等の記憶手段４６、ＣＰＵを含む制御手段４１によって制御される。
【００２３】
（３）施工品質管理サーバ２０の構成
（ａ）  施工品質管理サーバ２０は、基礎杭７５の施工工程の施工品質を管理するアプリケーションプログラムを備える施工品質管理用のサーバ装置である。施工品質管理サーバ２０は、通信ネットワーク５０を介して施工実施端末３０、現場担当者端末４０それぞれとの間で情報の送受信を行う情報送受信手段２２を備えている。  
（ｂ）  施工品質管理サーバ２０は、施工実施端末３０、現場担当者端末４０との間で送受信する情報を記憶する記憶手段２３を備えている。  
施工品質管理サーバ２０は、現場情報データベース２３ａ、杭仕様情報データベース２３ｂ、杭穴仕様情報データベース２３ｃ、点検情報データベース２３ｄそれぞれにアクセスし、これらのデータベースから各種データを取得して、各施工工程で点検される品質項目に関する点検項目データ２３ｆを作成する点検項目データ生成手段２４を備えている。  
これらの各手段によって行われる情報通信が、内蔵メモリ、ＣＰＵを含む制御手段２１によって制御される。
【００２４】
（ｃ）記憶手段２３の構成
記憶手段２３は、現場情報データベース２３ａ、既製杭仕様情報データベース２３ｂ、杭穴情報データベース２３ｃには、以下のような各データを格納してある（図４）。  
また、記憶手段２３は、１本の基礎杭の施工に関して、点検される品質項目に関する点検項目データ２３ｆが記憶されている点検情報データベース２３ｄを備えている。点検情報データベース２３ｄは、杭穴を掘削する工程に関する第１点検情報データベースと、その杭穴に既製杭を埋設する工程に関する第２点検データベースとを備える。  
また、記憶手段２３は、上述の各データベースに係るデータをもとに、各施工工程の施工品質を管理する品質管理機能を実現させるためのプログラムであるアプリケーションプログラム２３ｅを備えている。  
また、記憶手段は、施工実施端末３０、現場担当者端末４０から施工データが設計データと一致していることを示す確認データを保存する点検結果情報データベース２３ｆを備えている。
【００２５】
（４）施工結果管理サーバ１０の構成
施工結果管理サーバ１０は、通信ネットワーク５０を介して施工品質管理サーバ２０、施工実施端末３０、現場担当者端末４０との間で情報の送受信を行う情報送受信手段１２を備えている。  
また、施工結果管理サーバ１０は、制御手段１１の液晶ディスプレイ等、情報の表示装置である表示手段１３と、タッチパネル、キーボード等、情報の入力装置である入力手段１４、データ取り出しあるいは印刷する出力手段１５を備えている。  
また、記憶手段１６は、施工品質管理サーバ２０、施工実施端末３０、現場担当者端末４０からの確認データを受け取り、施工結果確認データベース１６ａに施工結果確認データ１６ｂとして保存する。  
また、施工結果管理サーバ１０は、施工結果確認データ１６ｂを所定の様式に処理する報告書データ作成手段１７により、施工報告書データ１６ｃを作成して、施工結果データベース１６ａに保存する。施工報告書データ１６ｃは表示手段１３で表示し、あるいは出力手段１５から出力するように処理されている（図２）。  
また、施工結果管理サーバ１０は、これらの各手段によって行われる情報通信が、内蔵メモリ等の記憶手段１６、ＣＰＵを含む制御手段１１によって制御される。
【００２６】
３．システムが管理する施工の概要と基礎杭施工異業者側のシステム
【００２７】
（１）  基礎杭７５を構築する施工の概要は、以下の内容である。  
杭打ち機（掘削機）６４のオーガ６７に、掘削ヘッド６２を取り付けた掘削ロッド６１を取り付けて、支持地盤まで杭穴７０を掘削して、杭穴底に根固め液（セメントミルク類）を注入して根固め部７２を形成する（図４）。  
続いて、杭打ち機（掘削機）６４のオーガ６７から掘削ロッド６１を取り外して、既製杭７４を取り付けて、杭穴７０内に順次連結しながら、杭穴７０内に既製杭７４、７４を埋設して、杭穴７０の底部の根固め部７２内に既製杭７０の下端部を定着させて基礎杭７５を構築する（図５）。
【００２８】
（２）  杭打ち機６４のオペレータ室６５内にある施工実施端末３０、現場内の現場担当者端末４０を含む構成であり、施工品質管理サーバ２０から設計データ（「現場データ」「杭穴仕様データ」「既製杭仕様データ」）、「点検情報データ」を取得しながら、基礎杭７５を構築する施工をする。すなわち、先端に掘削ヘッド６２を取り付けた掘削ロッド６１で、杭穴７０を掘削して、杭穴７０の底部にセメントミルク類を注入して根固め部７２を形成して、杭穴７０内に既製杭７４、７４を埋設して、杭穴７０の根固め部７２に既製杭７０の下端部を定着させて基礎杭７５を構築する。
【００２９】
（３）  一つの杭穴７０について基礎杭７５を構築する施工に際して、施工実施端末３０では、施工品質管理サーバ２０の杭穴仕様データベース２３ｃから「杭穴仕様データ」「既製杭仕様データ」「点検情報データ」を取得して、施工実施端末３０に「杭穴仕様データ」「既製杭仕様データ」「点検情報データ」を順次表示しながら施工作業を行う。「杭穴仕様データ」は、
・杭穴番号
・杭穴の軸部の掘削径の設計データ
・杭穴の根固め部の深さおよび掘削径の設計データ
・杭穴の深さ設計データ
・支持地盤の設計データ
・杭穴の根固め液（セメントミルク類）の濃度・総注入量と深度毎の注入量の設計データ
・杭穴の杭周固定液（セメントミルク類）の濃度・総注入量の設計データ
を含む内容である（図３）。
【００３０】
（４）  また、一つの杭穴７０について基礎杭７５を構築する施工に際して、施工実施端末３０では、施工品質管理サーバ２０の既製杭仕様データベース２３ｂから「既製杭仕様データ」を取得して、施工実施端末３０に「既製杭仕様データ」を表示しながら施工作業を行う。  
「既製杭仕様データ」は、
・既製杭７４の根入り長さ（既製杭７４の下端深さ）データ
・１つの杭穴番号の杭穴７０で使用する既製杭７４の構成データ
・構成する既製杭番号データ
・その既製杭７４の種類データ
・その既製杭７４の杭径データ
・その既製杭７４の杭長データ
・使用する継ぎ手・補強バンドのデータ
などからなる。  
施工実施端末３０には、少なくとも「既製杭の根入り長さ（既製杭の下端深さ）データ」について表示する。
【００３１】
（５）  また、一つの杭穴７０について基礎杭７５を構築する施工に際して、現場担当者端末４０では、施工品質管理サーバ２０の「既製杭仕様データベース」から「既製杭仕様データ」を取得して、現場担当者端末４０に「既製杭仕様データ」（必要ならば「杭穴仕様データ」も）を表示しながら施工作業を行う。「既製杭仕様データ」は上記（４）のとおりであり、現場担当者端末４０では、少なくとも
・１つの杭穴番号の杭穴７０で使用する既製杭７４の構成データ
・構成する既製杭番号データ
・その既製杭７４の杭種データ
・その既製杭７４の杭径データ
・その既製杭７４の杭長データ
・その既製杭７４の品質データ
・使用する継ぎ手・補強バンドのデータ
を順次表示する。
【００３２】
（６）  掘削機６４の施工実施端末３０では、杭穴７０の掘削の施工をしながら、前記各設計データと比較しながら、「点検情報データ」に基づき、以下の各「確認データ」を「施工実施端末」に保存する。  
（ａ）  施工中に掘削した杭穴７０の深さを計測して「杭穴深さ施工データ」とする。「杭穴深さ施工データ」を「杭穴仕様データ」の内、深度のデータ「杭穴深さ設計データ」と比較して、設定した深度まで掘削したことを確認し、「杭穴深さ確認データ」とする。「杭穴深さ確認データ」には「杭穴深さ施工データ」が含まれる。  
（ｂ）  掘削ヘッド６２の掘削抵抗値を測定しながら杭穴７０を掘削して、杭穴７０の底部（根固め部）の「支持地盤施工データ」とする。杭穴７０の底部（根固め部）で「支持地盤施工データ」と「杭穴仕様データ」の「支持地盤設計データ」とを比較しながら、掘削ヘッド６２の掘削抵抗値を加味して、掘削ヘッド６２が所定の支持地盤に到達したことを確認し、「支持地盤確認データ」とする。「支持地盤確認データ」には「支持地盤施工データ」も含まれる。  
（ｃ）  掘削ヘッド６２から杭穴７０の底部に注入したセメントミルクの注入深度毎の注入量および総注入量を測定して、「セメントミルク類施工データ」とする。「セメントミルク類施工データ」が、「杭穴仕様データ」の内の「セメントミルク類設計データ」を満たしていることを確認し、「セメントミルク類確認データ」とする。「セメントミルク類確認データ」には「セメントミルク類施工データ」も含まれる。
【００３３】
（７）  杭穴７０の掘削が完了後、杭打ち機６４から掘削ロッド６１を取り外して、順次既製杭７４。７４をその杭穴７０内に埋設する。どの既製杭７４を杭打ち機６４にセットするかは、現場管理者が、現場担当者巻末４０で「既製杭仕様データ」「点検情報データ」を確認しながら以下のように行う。
【００３４】
（８）  現場管理者は、現場担当者端末４０に取得した「既製杭仕様データ」を順次表示しながら、既製杭に記載されて情報を、「既製杭仕様データ」と合致していることを確認する。なお、既製杭に記載されている情報は、
・杭種、杭径、杭長、コンクリート強度、商品名
・構成する既製杭番号
などである。この刻印を確認することにより、上記点検作業を簡略化できる。また、この際、既製杭の刻印情報を現場担当者端末の撮像機能によって撮像すると共に、この撮像データと「既製杭仕様データ」に合致している旨のデータと併せて「既製杭確認データ」として、施工品質管理サーバに転送し、転送すると同時に現場担当者端末から撮像データを含めて「既製杭確認データ」を削除する。  
続いて、その確認が完了した既製杭７４を、杭打ち機６４に取り付ける作業を指示して実行する。
【００３５】
（９）  現場管理者は、以下、埋設する総ての既製杭７４で上記（８）の作業を繰り返す。また、既製杭７４、７４を連結する作業についても、「既製杭仕様データ」の「使用する継ぎ手・補強バンドのデータ」を現場担当者端末４０に表示して、使用する継ぎ手・補強バンドが正しいことを確認して、必要ならば使用する継ぎ手・補強バンドを現場担当者端末４０の撮像機能によって撮像する。  
現場管理者は、使用する継ぎ手・補強バンドが「使用する継ぎ手・補強バンドのデータ」に合致している「既製杭確認データ」を撮像データと共に、施工品質管理サーバ２０に転送し、転送すると同時に現場担当者端末から撮像データを含めてその「既製杭確認データ」を削除する。
【００３６】
（１０）  １つの杭穴番号の掘削した杭穴で、総ての既製杭７４、７４を連結して埋設した状態で、最下端の既製杭７４の下端位置は、施工実施端末３０の表示画面に表示させることもできる。この最下端位置を「既製杭の根入り長さ施工データ」として、「既製杭の根入り長さ施工データ」が「支持地盤施工データ」（根固め部の深さデータ）を考慮して、「既製杭仕様データ」の「既製杭の根入り長さデータ」を満たしていること確認して、「既製杭の根入り長さ確認データ」とする。  
「既製杭の根入り長さ確認データ」には「既製杭の根入り長さ施工データ」が含まれ、「既製杭の根入り長さ確認データ」を施工品質管理サーバ２０に転送して、転送すると同時に施工実施端末３０から「既製杭の根入り長さ確認データ」を削除する。
【００３７】
（１１）  なお、「既製杭の根入り長さ確認データ」は、現場担当者端末４０の側で作成して、施工品質管理サーバ２０に転送することもできる。  
すなわち、既製杭７４ａの下端位置は「既製杭仕様データ」（「現場担当者端末」に送られている）に規定されており、各既製杭７４ａ〜７４ｃの長さの合計から、最上に位置する既製杭７４ｃの上端が地面６９からどの程度の長さだけ上方にあるか（下方にあるか）で、所定の下端位置を満たしている可否が確認される。現場担当者端末４０から地面６９付近の既製杭７４ｃの撮影画像ともに「既製杭の根入り長さ確認データ」（「既製杭確認データ」）として施工品質管理サーバ２０に転送する。
【００３８】
（１２）  １本の杭穴で基礎杭の構築が完了したならば、あるいは１つの施工現場で総ての基礎杭の構築が完了したならば、施工品質確認サーバ２０の点検結果情報データベース２３ｆ内に保存された各「確認データ」を、制御手段２１、情報送受信手段２２により、施工結果管理サーバ１０の施工結果データベース１６ａに転送して、確認結果データ１６ｂとして保存する。  
転送すると同時に、施工品質確認サーバ２０の点検結果情報データベース２３ｆ内に保存された各「確認データ」を削除する。  
したがって、施工結果管理サーバ１０の施工結果データベース１６ａに確認結果データ１６ｂを保存させた状態で、各確認データ（各施工結果データ）は、施工品質管理サーバ２０、施工実施端末３０、現場担当者端末４０には残っていないことになる。
【００３９】
４．システムの他の実施態様
【００４０】
（１）  前記実施態様で、各確認データ（各施工データを含む）は、施工実施端末３０、現場担当者端末４０から施工品質管理サーバ２０の点検結果情報データベース２３ｆに保存したが、施工実施端末３０、現場担当者端末４０で各確認データ（各施工データを含む）から直接に、施工結果管理サーバ１０の施工結果データベース１６ａに転送して、確認結果データ１６ｂとして保存することもできる。この場合にも、転送と同時に、施工実施端末３０、現場担当者端末４０に保存されていた各確認データ（各施工データを含む）は削除される。したがって、この場合には、施工品質管理サーバ２０の点検結果情報データベース２３ｆは不要となる。  
この場合、各確認データ（各施工データを含む）の施工結果管理サーバ１０への転送は、
・各確認データ（各施工データを含む）が作成されると同時
・１本の杭穴で基礎杭を構築した段階で、その１本の基礎杭分をまとめて
・１つの構築現場で、総ての杭穴で総ての基礎杭の構築が完了した段階で、総ての基礎杭分をまとめて
など、転送の時期は自由に設定できる。要は基礎杭７５の構築が完了した段階で、各確認データ（各施工データを含む）は施工結果管理サーバ１０側にあり、施工業者側にはコピーも含めてデータが残っていない。
【００４１】
（２）  また、前記実施態様において、施工実施端末３０および現場担当者端末４０からの点検確認データを施工品質管理サーバ２０または施工結果管理サーバ１０に転送して管理したが、施工実施端末３０側の点検確認データのみを施工品質管理サーバ２０または施工結果管理サーバ１０に転送して管理することもできる。この場合には、主に杭穴仕様データの施工が管理される。  
この場合、杭穴７０内に埋設するセメントミルク類をコンクリートに置き換え、既製杭７４に変えて鉄筋かごに置き換えれば、この施工管理方法・システムをいわゆる現場造成杭にも適用できる（図示していない）。
【実施例】
【００４２】
図面に基づき、この発明の実施例を説明する。
【００４３】
１．掘削用の装置の構成
【００４４】
（１）  掘削ロッ６１ドは、所定本数を長さ方向に連結できるロッド本体を、オーガ６７の下端に取り付けし、掘削ロッド６１の下端部には掘削ヘッド６２を取り付けて構成する。掘削ヘッド６２は、掘削ロッド６１の軸芯周りに回転して掘削刃で地面を掘削できるようになっており、例えば、掘削ヘッド６１は、ロッド本体の下端に連結できるヘッド本体６２ａに水平軸を設け、水平軸に掘削腕６２ｂ、６２ｂを揺動自在に取り付け、ヘッド本体６２ａの下端と掘削腕６２ｂ、６２ｂの先端に掘削刃が取り付けてある（図４（ａ））。  
掘削ヘッド６２は、掘削腕が鉛直下方に垂れた位置（ニュートラル位置）から揺動した角度で、掘削腕６２ｂの掘削刃の位置、すなわち、掘削ロッド６１の軸芯からの放射方向の掘削刃の水平位置を算出して、その掘削刃で掘っている杭穴の外周壁の位置、すなわち杭穴の「掘削径」が計測できる。
【００４５】
（２）  また、掘削ロッド６１（掘削ヘッド６２）が正回転することにより、掘削腕６２ｂ、６２ｂは一側に揺動して、予め設定した最大揺動角度で、杭穴の軸部を一定杭径Ｄ０で掘削する（図４（ｂ））。また、掘削ロッド６１（掘削ヘッド６２）を逆回転することにより、掘削腕６２ｂ、６２ｂを他側に揺動させて、予め設定した最大揺動角度Ｄ１（＞Ｄ０）で杭穴を拡大掘削できるようになっている（図４（ｄ））。  
なお、この掘削ヘッド６２は、正回転の同一回転方向で、Ｄ０の掘削とＤ１の掘削を調整することもできるようになっている（図示していない）。
【００４６】
（３）また、掘削ロッド６１の中空部には、セメントミルクや水を供給する供給パイプが配置されており、ロッド本体をつなぐ際には、この供給パイプも連結できるようになっている（図示していない）。掘削ヘッド６２のヘッド本体６２ａと掘削腕６２ｂ、６２ｂには、ヘッド本体６２ａの供給パイプから供給を受けたセメントミルクや水を杭穴内に放出できる吐出口が設けられている（図示していない）。
【００４７】
（４）  杭打ち機（掘削機兼用）６４は、自走式でオペレータ室６５を有する本体部の一側に、タワー６６が高く立設される構成となっている。タワー６６の上端部から地面付近まで、鉛直方向に昇降させることができるオーガ６７が取り付けてある。オーガ６７に掘削用アタッチメントを取り付けて、オーガ６７に掘削ロッド６１の上端を連結して、オーガ６７の回転を掘削ロッド６１の軸芯周りの回転に伝えることができ、また、オーガ６７を昇降させることにより、掘削ロッド６１（掘削ヘッド６２）を昇降させることができる（図４（ａ））。  
この際、オーガ６７の上端にワイヤー６８、６８が取り付けられ、ワイヤー６８の繰り出し量を計測することにより、地面６９からの掘削ロッド６１の先端（掘削ヘッド６２の掘削刃）までの距離、すなわち「掘削ヘッド６２（掘削刃）の深さ位置」を計測できるようになっている。また、通常、掘削ロッド本体の長さは１０ｍ程度であり、ロッド本体を連結しながら、掘削ヘッド６２を地面６９から数１０ｍ下方の支持地盤まで掘削するので、初期位置からワイヤー６８の累積距離で、掘削ヘッド６２の深さ位置を計測できる（図４（ａ））。  
したがって、この掘削ヘッド６２の深さ位置を計測することにより、掘削ヘッド６２の吐出口からのセメントミルクなどを吐出する深さ位置も計測できる。
【００４８】
（５）  また、オーガ６７の駆動により掘削ロッド６１を回転して、掘削ヘッド６２で杭穴７０を掘削するので、オーガ６７の積算電流値などを測定することにより、「掘削ヘッドの掘削抵抗値」を測定して算出する（図４（ａ）〜（ｄ））。
【００４９】
（６）  また、杭打ち機６４に、または、杭打ち機６４に併設して、セメントミルクプラントから、所定濃度のセメントミルクや水を掘削ロッドに供給するポンプが設けられ、ポンプから排出され、掘削ロッド６１（掘削ヘッド６２）に供給され、掘削ヘッド６２の吐出口から供給される（図４（ｄ）〜（ｆ））。掘削ヘッド６２の吐出口から供給される「注入根固め液量」（すなわち富配合のセメントミルク）、「注入杭周固定液量」（すなわち、根固め液より貧配合のセメントミルク）、「注入水量」が計測される。また、この際、供給している際の根固め液、杭周固定液、または水の「温度」が計測される。なお、地盤によっては掘削ヘッド６２の吐出口から掘削刃周辺に水を供給すると掘りやすい地盤があり、水はこの際に使用する（図４（ｂ）〜（ｄ））。
【００５０】
（７）  また、オーガ６７に既製杭埋設用のアタッチメントを装着すれば、既製杭７４の上端をつかみ、同様にオーガ６７を昇降させながら、既製杭７４を杭穴６０内に埋設できる（図５）。
【００５１】
（８）  上記の各データは、杭打ち機６４のオペレータ室６５にある、施工実施端末３０（通常はいわゆるノートパソコン）に入力される。
【００５２】
４．施工実施端末３０を使った施工方法
【００５３】
（１）  その構築現場毎に、施工品質管理サーバ２０の現場情報データベース２３ａ、杭穴仕様情報データベース２３ａ、既製杭仕様情報データベース、点検情報データベースから、設計値である「現場データ」「杭穴仕様データ」「既製杭仕様データ」「点検情報データ」を取得して、制御手段３１で処理して、目視容易なデータとして、表示手段３３に表示する。
【００５４】
（２−１）  表示手段３３では、現場情報データから、左下隅に「現場名８０」が表示される。また、右上隅に「日時分８２」が表示される（図７）。  
また、施工順にしたがって、杭ＮＯ表示枠に、杭ＮＯ「４４」が表示される。画面最上段欄８２には、「杭穴仕様データ」に基づき、
・「拡径比  １．４  」←杭穴の根固め部掘削径Ｄ１／既製杭７４の外径
・「掘削径：１２３０ｍｍ  」←杭穴７０の軸部掘削Ｄ０
・「拡大径：１５４０ｍｍ  」←杭穴の根固め部の掘削径Ｄ１
・「根固計画：５．５９ｍ３  」←根固め液の注入量
・「杭周計画：１１．９０ｍ３  」←杭周固定液の注入量
が表示される（図７）。なお、この場合、表示されないが、
・「既製杭」の外径は、１１００ｍｍ
である。なお、既製杭７４が設計通りのものが使用されているかどうかは、後述のように、現場担当者端末４０で確認して、確認データが作成される。
【００５５】
（２−２）  また、画面左端欄８３には、以下の各表示欄が設けられている（図７）。  
・「深度（ｍ２）」８３ａには、掘削ヘッドの現在の深さ位置が表示される。また、オーガ（すなわち掘削ロッド）が逆回転している場合には、「逆転」と表示される。  
・「実測最終深度（ｍ）」８３ｂには、その杭穴の施工で掘削ヘッドが最も下端に位置した深さ位置が表示される。  
・「電流（Ａ）」８３ｃには、オーガの現状の電流値が表示される。  
・「流量（ｍ３／ｈ）」８３ｄには、「注入根固め液量」データまたは「注入杭周固定液量」データが表示される。  
・「水量（ｍ３）」８３ｅには、「注入水量」の総量データが表示される。  
・「速度（ｍ／ｍｉｎ）」８３ｆには、掘削ヘッドの下降速度、すなわち“時間当たりの深さ位置の変化”が表示される。  
・「最終深度（ｍ）」８３ｇには、その杭穴の設計深度のデータが表示される。  
・「温度（℃）」８３ｈには、ポンプにおける根固め液、杭周固定液、または水の温度が表示される。  
・「高／低切替」８３ｉには、オーガの回転（すなわち掘削ロッドの回転）を低速と高速に切り替えることができ、その高低の別が表示される。  
・「現在状況」８３ｊには、オーガ（すなわち掘削ロッド）が回転している場合を「稼働」、停止していれば「停止」が表示される。  
ここで、「杭穴仕様データ」に基づき、最終深度欄８３ｇに「７２．１１ｍ」が表示されている。
【００５６】
（２−３）  また、中央部にグラフ表示領域があり、６つのグラフが表示される。  
（ａ）第１グラフ９１
掘削ロッドの深さ位置（根固め部）の変化グラフ
横軸：時間（分）、縦軸：深度（ｍ）
ここでは、下端部が表示され、「杭穴仕様データ」に基づき、根固め部７２の開始深さ９１ａと終了深さ（即ち杭穴の下端深さ）９１ｂにラインが表示されている。  
（ｂ）第２グラフ９２
オーガの電流値の変化グラフ
横軸：時間（分）、縦軸：電流（Ａ）
（ｃ）第３グラフ９３
オーガの電流値の変化グラフ（根固め部付近）
横軸：時間（分）、縦軸：電流（Ａ）
（ｄ）第４グラフ９４
深さ毎のＮ値を深さ毎の電流記録値変化に変換したグラフ
横軸：電流値（×１０６・Ａ・ＳＥＣ）、縦軸：深度（ｍ）
ここでは、「杭穴仕様データ」に基づき、根固め部７２の開始深さ９４ａと終了深さ（即ち杭穴の下端深さ）９４ｂにラインが表示されている。また、「杭穴仕様データ」に基づき、既製杭７４の杭頭（最上端）位置の深さ９４ｃが表示されている。  
（ｅ）第５グラフ９５
根固め液の深さ毎の注入量グラフ
横軸：注入量（ｍ３）、縦軸：深度（ｍ）
ここでは、「杭穴仕様データ」に基づき、注入量ライン９５ａ、９５ｂ、９５ｃが表示されている。注入量ライン９５ａは、杭穴７５の根固め部７２内の全深さで均一に必要な注入量Ｖ１のラインで、注入量ライン９５ｂは根固め部７２の下端部で追加的に必要な注入量Ｖ２を示すラインである。また、注入量ライン９５ｃは根固め部７２の下端部に必要な総注入量Ｖ３（＝Ｖ１＋Ｖ２）の量を示すラインである。  
（ｆ）第６グラフ９６
杭周固定液の深さ毎の注入量グラフ
横軸：注入量（ｍ３）、縦軸：深度（ｍ）
ここでは、「杭穴仕様データ」に基づき、深さ毎の設計注入量９６ａのラインが表示されている。  
上記のように、各グラフで、「杭穴仕様データ」「点検情報データ」に基づき、表示手段３３に、
目標値が表示される。また、第４グラフ９４に、地盤調査に基づきＮ値の値を深度毎に電流値に換算したグラフが表示されており（図７）、硬い地盤、やわらかい地盤など予想でき、また支持地盤の深さ位置も予想できる。
【００５７】
（２−４）  杭打ち機６４のオーガ６７に掘削ロッド６１を取り付け、未だオーガ６７を回転しない状態で、掘削ヘッドを地面の直上に位置させる（図４（ａ）、図７）。  
オーガ６７を回転させ、地面６９に掘削ヘッド６２の掘削刃を当てると土圧で掘削腕６２ｂ、６２ｂが開き、予め設定した角度で掘削腕が揺動して、径Ｄ０＝１２３０ｍｍで杭穴の軸部７１の掘削始める（図４（ｂ）。この際、オーガ６７に負荷が掛かるので、電流値８３ｃが上昇する。
【００５８】
（２−５）  さらに掘削を進め、杭穴の軸部７１を所定深さ「７２、１ｍ」まで掘削する（図４（ｃ））。「杭穴仕様データ」に基づき所定の深度に至ったことを、「深度（ｍ）」８３ａ、「実測最終深度（ｍ）」８３ｂの数字で確認できる（図８）。また、第１グラフ９１でも確認できる。
【００５９】
（２−６）  続いて、オーガ６７を逆転すれば、土圧で掘削腕６２ｂ、６２ｂが逆方向に開き、予め設定した径Ｄ１＝１５４０ｍｍで杭穴根固め部７２を拡大掘削する（図４（ｄ））。
【００６０】
（２−７）  所定形状の杭穴７０の掘削が完了したならば、根固め部７２内で、掘削ヘッド６２を所定の上下動をさせながら（図８。グラフ９１）、杭穴７０の下端部内を撹拌する。
【００６１】
（２−８）  続いて、根固め部７２内で、掘削ヘッド６２を所定の上下動をさせながら、予め決められた深さで、吐出口から根固め部液を注入する（図９。グラフ９１、グラフ９５）。これにより、根固め部７２内の掘削泥土は、根固め部液（セメントミルク）により置換される。グラフ９５に表示された根固め部液の注入量（下端部でＶ３、その他でＶ１）が、「杭穴仕様データ」に合致していることを確認でできる。
【００６２】
（２−９）  続いて、掘削ヘッド６２を上昇させながら、所定深さで所定量の杭周固定液を吐出口から注入する（図６（ｅ）（ｆ）））。この際。注入した深さ毎の杭周固定液の注入量が第６グラフ９６に表示され、予め設定された設計注入量９６ａのラインに沿って注入されていることが確認できる（図１０）。
【００６３】
（２−１０）  掘削ロッド６１を地面６９から地上に引き上げれば、杭穴７０の掘削が完了する（図４（ｇ））。
【００６４】
（２−１１）  杭穴７０の掘削が完了したならば、施工実施端末３０の最終画面（図１０）が「杭穴掘削確認データ」として、直接にまたは施工品質管理サーバ２０を介して、施工結果管理サーバ１０に転送され、転送と同時に、施工実施端末３０から「杭穴掘削確認データ」が削除される。なお、図８〜図９の状態では、第１グラフ９１は根固め部７２付近の深さのみの拡大表示であったが、図１０の最終画面では、第１グラフ９１Ａは地面から杭穴底までの全深さでのグラフに切り替わっており、ここで、既製杭７４の杭頭（最上端）位置を示すライン９１ｃ（第４グラフ９４のライン９４ｃと同じ深さである）が表示される。  
また、各グラフ９１〜９６を拡大して、あるいは他の施工データと組み合わせて「杭穴掘削確認データ」とすることもできる（図示していない）。
【００６５】
（２−１２）  施工結果確認サーバ１０では、「杭穴掘削確認データ」（図１０）は改変不可能な状態で保存・管理される。また、「杭穴掘削確認データ」を報告書データ作成手段１７で印刷をすれば、関係者の確認捺印欄９７が右下に表示された報告書９８ができる（図１１）。
【００６６】
（３−１）  続いて、杭穴７０内に既製杭７４を埋設する。作業に先立ち、現場管理者（現場監督）の「現場担当者端末」に、施工品質管理サーバ２０の各データベースから「現場データ」「既製杭仕様データ」「必要な杭穴データ」「点検情報データ」が取得されている。「点検情報データ」に基づき施工中のポイント毎に「既製杭仕様データ」等と実際の施工とが一致して否かの確認作業を「現場担当者端末」において行う。
【００６７】
（３−２）  オーガ６７のアタッチメントを既製杭用に取り替え、地面６９においてある下端に配置する既製杭７４ａ（鎖線図示）の仕様が「既製杭仕様データ」と合っていることを「現場担当者端末」で確認して、「現場担当者端末」から撮影画像ともに「既製杭確認データ」を施工品質管理サーバ２０に転送する。
【００６８】
（３−３）  続いてオーガ６７に既製杭６４ａを吊り上げ（図５（ａ））、杭穴７０から挿入して下降させる。「点検情報データ」で必要ならば、この状況を「現場担当者端末」から撮影画像ともに「既製杭確認データ」を施工品質管理サーバ２０に転送する。
【００６９】
（３−４）  続いて、地面６９付近で、既製杭７４ａを一旦支持して、既製杭７４ａをオーガ６７から切り離す。これと同時期にあるいはこれと前後して、地面６９においてある次ぎに使用する既製杭７４ｂ（図示していない）の仕様が「既製杭仕様データ」と合っていることを「現場担当者端末」で確認して、「現場担当者端末」から撮影画像ともに「既製杭確認データ」を施工品質管理サーバ２０に転送する。
【００７０】
（３−５）  続いて、オーガ６７には次の中間に位置する既製杭７４ｂを吊り上げ（図５（ｂ））、既製杭７４ａと既製杭７４ｂとを、所定の連結手段で一体に連結する（図５（ｃ））。連結に使用するバンド類、バンド類の取付が「既製杭仕様データ」と一致していることを「現場担当者端末」で確認して、「現場担当者端末」から撮影画像ともに「既製杭確認データ」を施工品質管理サーバ２０に転送する。以下の各既製杭の連結作業についても同様に処理される。  
続いて、連結した既製杭７４ａ、７４ｂを下降させる。
【００７１】
（３−６）  以下同様に、必要数の中間の既製杭７４ｂ、７４ｂを連結しながら、最後に、最上の既製杭７４ｃを連結して、既製杭７４ａ、７４ｂ、７４ｃを杭穴７０内に埋設する（図５（ｄ））。  
この場合も吊り上げる前に、地面６９においてある次ぎに使用する既製杭７４ｃの仕様が「既製杭仕様データ」と合っていることを「現場担当者端末」で確認して、「現場担当者端末」から撮影画像ともに「既製杭確認データ」を施工品質管理サーバ２０に転送する。
【００７２】
（３−７）  既製杭７４ａの下端位置が根固め部７２の所定位置にあることを確認して、基礎杭７４ｃを地面６９付近で支持する。根固め部７２で根固め液が固化すれば、基礎杭７５の構築が完了する（図５（ｄ））。
【００７３】
（３−８）  前記（３−６）における既製杭７４ａの下端位置の確認は、通常以下のように行う。  
既製杭７４ａの下端位置は「既製杭仕様データ」（「現場担当者端末」に送られている）に規定されており、各既製杭７４ａ〜７４ｃの長さの合計から、最上に位置する既製杭７４ｃの上端が地面６９からどの程度の長さだけ上方にあるか（下方にあるか）で、所定の下端位置を満たしている可否が確認される。「現場担当者端末」から地面６９付近の既製杭７４ｃの撮影画像ともに「既製杭確認データ」を施工品質管理サーバ２０に転送する。  
また、既製杭７４ａの下端位置は、オーガ６７の位置を、杭穴掘削時の掘削ロッド６１の深さ位置（掘削ヘッド６２の深さ位置）と同期させれば、掘削ヘッド６２の深さ位置を計測した流れと同様にして、地面６９から（あるいは、杭穴７０の底から）既製杭７４ａの下端の深さ位置が測定できる。
【００７４】
（４）  以上のようにして、杭穴７０の掘削、根固め部液の注入、既製杭７４の埋設が、「杭穴仕様情報データ」「既製杭仕様データ」と一致していることを確認でき、設計どおりの基礎杭７５が構築されたことが現場確認できる。さらに各「確認データ」が「施工結果確認サーバ」に、転送され、かつ転送と同時に施工実施端末３０の「確認データ」が削除される。また、編集改変不可のデータとして保存される。よって、設計に基づき施工されたことが担保できる。
【００７５】
（５）  以上の作業を、現場内の一つの杭穴７０で実施し、同様に現場内に必要数の基礎杭７５を構築する（図６）。この際、各杭穴７０、７０およびその杭穴７０に埋設する既製杭７４は「杭穴番号」「杭番号」で管理される。
【符号の説明】
【００７６】
１０    施工結果管理サーバ
２０    施工品質管理サーバ
３０    施工実施端末
４０    現場担当者端末
５０    サーバ監視システム
６１    掘削ロッド
６２    掘削ヘッド
６４    杭打ち機
６５    杭打ち機のオペレータ室
６６    杭打ち機のタワー
６７    杭打ち機のオーガ
６８    杭打ち機のワイヤー
６９    地面
７０    杭穴
７１    杭穴の軸部
７２    杭穴の根固め部
７４、７４ａ、７４ｂ、７４ｃ    既製杭
７５    基礎杭
８０    現場名欄
８１    日時分欄
８２    最上段欄
８３    左端欄
９１    第１グラフ
９２    第２グラフ
９３    第３グラフ
９４    第４グラフ
９５    第５グラフ
９６    第６グラフ
９８    報告書
【図１】
2018053468.tif 000003
【図２】
2018053468.tif 000004
【図３】
2018053468.tif 000005
【図４】
2018053468.tif 000006
【図５】
2018053468.tif 000007
【図６】
2018053468.tif 000008
【図７】
2018053468.tif 000009
【図８】
2018053468.tif 000010
【図９】
2018053468.tif 000011
【図１０】
2018053468.tif 000012
【図１１】
2018053468.tif 000013